(57)【要約】      （修正有）【課題】設置コストの低減化を図ることができ、取付及び取り外し作業を容易に行うことのできる不正行為防止装置を提供する。【解決手段】不正行為防止装置２１は、施錠受け金具１１に着脱可能に設けられ、施錠受け金具に常時接触する接点部２７を有する固定部２２と、固定部に支持される一端部を支点に前後に弾性変形可能に設けられた絶縁性部材により形成され、施錠受け金具に接触可能な接点部２９を有する可動部２３とを備えており、扉５の閉鎖時には、可動部が可動部の弾性に抗して施錠金具７と接触し、可動部の接点部が施錠受け金具から離間し、可動部と固定部の接点部とが非導通状態になる一方、扉の開放時には、接点部２９が可動部の弾性により施錠受け金具に接触し、施錠受け金具を介して可動部２３の接点部と固定部２２の接点部とが導通状態になる。【選択図】図２
0003133401.tif 000002
【実用新案登録請求の範囲】
【請求項１】
前面側を覆うように枠体に対して扉が開閉自在に設けられ、前記枠体と前記扉のいずれか一方側に設けられた施錠金具が他方側に設けられた施錠受け金具に係止することにより前記枠体に対する前記扉の施錠状態を保持する遊技機に設けられる不正行為防止装置であって、
前記施錠受け金具に着脱可能に設けられ、前記施錠受け金具に常時接触する接点部を有する固定部と、
該固定部に支持される一端部を支点に前後に弾性変形可能に設けられた絶縁性部材により形成され、前記施錠受け金具に接触可能な接点部を有する可動部と、
を備えており、前記扉の閉鎖時には、前記可動部が該可動部の弾性に抗して前記施錠金具と接触し、前記可動部の接点部が前記施錠受け金具から離間し、該可動部の接点部と前記固定部の接点部とが非導通状態になる一方、前記扉の開放時には、前記可動部の接点部が該可動部の弾性により前記施錠受け金具に接触し、該施錠受け金具を介して前記可動部の接点部と前記固定部の接点部とが導通状態になることを特徴とする不正行為防止装置。
【請求項２】
前記固定部は前記施錠受け金具と前記可動部の一端部とを共に挟持するように形成されている請求項１に記載の不正行為防止装置。
【請求項３】
前記固定部と前記可動部とは一体成形されている請求項１に記載の不正行為防止装置。
【請求項４】
遊技店の店員を呼び出すための呼出ランプを備えており、前記固定部の接点部と前記可動部の接点部はそれぞれ前記呼出ランプに電気的に接続されている請求項１〜３のいずれか１の請求項に記載の不正行為防止装置。
【考案の詳細な説明】
【技術分野】
【０００１】
本考案は、スロットマシンやパチンコ機に代表される遊技機において、不正目的で扉を開放する行為を防止するための不正行為防止装置に関する。
【背景技術】
【０００２】
一般に、スロットマシンやパチンコ機などの遊技機には、前面側を覆うように枠体に対して扉が開閉自在に設けられており、該扉側に設けられた施錠金具が前記枠体側に設けられた施錠受け金具に係止することにより前記枠体に対して前記扉が施錠状態を保持するようになっている。
【０００３】
ところが、遊技者の中には、前記扉が施錠されている状態であっても、該扉を無断で開放し、遊技機の設定を遊技者に有利なように不正に変更したり、或いは、遊技者に有利になるようにプログラムを不正に変更したＲＯＭに交換したりする不正行為を行う者が存在する。
【０００４】
そこで、従来、この種の不正行為を未然に防止するために、不正に扉が開放されたことを検知するドアセンサを扉に取り付けることが提案されている。この場合のドアセンサは、プッシュ型スイッチからなるものであり、スイッチケースから突出するスイッチボタンを枠体の前端面に向けた状態で扉の裏面側に取付金具を介して固定している（例えば、特許文献１参照）。
【特許文献１】特開２００１−３７９４８号公報
【考案の開示】
【考案が解決しようとする課題】
【０００５】
しかしながら、上記した従来の不正行為防止に関する発明では、ドアセンサ自体が高価であると共にドアセンサの電源が必要となるため、設置コストが増大するといった問題があった。
【０００６】
また、ドアセンサを扉の裏面側に取付金具を介して固定しなければならないため、取付及び取り外し作業に手間が掛かるといった問題があった。さらに、取り外し作業が面倒なため、遊技機を取り替える時にドアセンサを取り付けたまま搬出してしまうこともあり、そのような場合には、遊技機と共にドサセンサ等を再度取り付けなければならず、不経済であった。
【０００７】
本考案は、上記した課題を解決すべくなされたものであり、設置コストの低減化を図ることができ、取付及び取り外し作業を容易に行うことのできる不正行為防止装置を提供することを目的とするものである。
【課題を解決するための手段】
【０００８】
上記した目的を達成するため、本考案は、前面側を覆うように枠体に対して扉が開閉自在に設けられ、前記枠体と前記扉のいずれか一方側に設けられた施錠金具が他方側に設けられた施錠受け金具に係止することにより前記枠体に対する前記扉の施錠状態を保持する遊技機に設けられる不正行為防止装置であって、前記施錠受け金具に着脱可能に設けられ、前記施錠受け金具に常時接触する接点部を有する固定部と、該固定部に支持される一端部を支点に前後に弾性変形可能に設けられた絶縁性部材により形成され、前記施錠受け金具に接触可能な接点部を有する可動部とを備えており、前記扉の閉鎖時には、前記可動部が該可動部の弾性に抗して前記施錠金具と接触し、前記可動部の接点部が前記施錠受け金具から離間し、該可動部の接点部と前記固定部の接点部とが非導通状態になる一方、前記扉の開放時には、前記可動部の接点部が該可動部の弾性により前記施錠受け金具に接触し、該施錠受け金具を介して前記可動部の接点部と前記固定部の接点部とが導通状態になることを特徴とする。
【０００９】
そして、前記固定部は前記施錠受け金具と前記可動部の一端部とを共に挟持するように形成されていてもよい。
【００１０】
また、前記固定部と前記可動部とは一体成形されていてもよい。
【００１１】
さらに、遊技店の店員を呼び出すための呼出ランプを備えており、前記固定部の接点部と前記可動部の接点部はそれぞれ前記呼出ランプに電気的に接続されていてもよい。
【考案の効果】
【００１２】
本考案によれば、確実に不正行為を防止することができると共に、着脱が容易であるため、設置コストの低減化を図ることができる。
【考案を実施するための最良の形態】
【００１３】
以下、図面を参照しつつ、本考案の実施の形態について説明する。なお、以下の説明では、本考案の実施の形態に係る不正行為防止装置をスロットマシンに設置した場合について例示して説明する。
【００１４】
図１は本考案の実施の形態に係る不正行為防止装置を備えたスロットマシンを示す斜視図であり、このスロットマシン１は、リール装置やホッパ装置（いずれも図示省略）等を収納する前面が開放された箱状の枠体２と、該枠体２の一方の側辺部（図１では正面視左側辺部）３にヒンジ部４を介して取り付けられ、枠体２の前面の開口を開閉自在の扉５とを備えて構成されている。
【００１５】
扉５の後面側には、ヒンジ部４から遠方側の側辺部６の内側に施錠金具７が取り付けられており、施錠金具７の後端８は矢尻形状を成し、扉５の後面９から突出するように設けられている。
【００１６】
一方、枠体２の他方の側辺部１０には、施錠金具７の取付位置に対向する位置に、施錠受け金具１１が取り付けられており、施錠受け金具１１は平板形状を成し、他方の側辺部１０の内側に突出するように設けられている。これにより、施錠金具７は施錠受け金具１１に係脱可能となっており、施錠金具７の後端８が施錠受け金具１１の下端に係止することにより枠体２に対する扉５の施錠状態が保持されるようになっている。
【００１７】
また、スロットマシン１の上方には呼出ユニット１２が設けられており、この呼出ユニット１２には、遊技者が遊技店の店員を呼び出すために操作する呼出ボタン１３や呼出ボタン１３を操作すると点灯する呼出ランプ１４等が設けられている。
【００１８】
図２及び図３は本考案の実施の形態に係る不正行為防止装置を示す側面図であり、この不正行為防止装置２１は、施錠受け金具１１に着脱可能に設けられる固定部２２と、該固定部２２に前後に弾性変形可能に支持される可動部２３とを備えて構成されている。
【００１９】
固定部２２は、電導性の良い金属製であり、前板部２４と上板部２５と後板部２６とにより逆樋形状に形成され、施錠受け金具１１の上端を挟持するように取り付けられる。また、固定部２２の前板部２４の後面側には半球状の接点部２７が突設されており、接点部２７は施錠受け金具１１に常時接触するようになっている。
【００２０】
可動部２３は、板バネ（例えば、厚さ０．３ｍｍ程度）を絶縁性収縮チューブで被覆することにより形成され、縦長の短冊形状を成し、上端部２８が固定部２２の後板部２６と施錠受け金具１１の上端との間に挿入されることにより、片持ち梁状に支持されている。また、可動部２３の前面側には半球状の接点部２９が突設されており、接点部２９の後面側からは接続部３０が可動部２３を貫通して後方に突出するように形成されている。そして、前記固定部２２とこの接続部３０とはそれぞれ電線３１，３２を介して呼出ランプ１４に電気的に接続されている。
【００２１】
このような不正行為防止装置２１を備えたスロットマシン１において、扉５の閉鎖時には、図２に示すように、施錠金具７の後端８が施錠受け金具１１の下端に係止すると共に可動部２３の弾性に抗して可動部２３と接触し、可動部２３の接点部２９は施錠受け金具１１から離間する。この結果、可動部２３の接点部２９と固定部２２の接点部２７とは非導通状態になり、呼出ランプ１４は消灯した状態を維持する。
【００２２】
これに対して、扉５の開放時には、図３に示すように、施錠金具７の後端が施錠受け金具１１の下端から離脱し、可動部２３の接点部２９は可動部２３の弾性により施錠受け金具１１に接触する。この結果、可動部２３の接点部２９は施錠受け金具１１を介して固定部２２の接点部２７と導通し、呼出ランプ１４が点灯する。これにより、店員は、扉５が不正に開放されたとしても、直ちにその不正行為を発見することができ、不正行為を確実に防止することができる。なお、扉５が開放された場合、上記したように呼出ランプ１４を点灯する代わりに或いはそれと同時に警報を発するようにしてもよい。
【００２３】
このように上記した実施の形態に係る不正行為防止装置２１は、安価な金属板等から構成されていると共に専用の電源が不要なため、設置コストの低減化を図ることができる。また、この不正行為防止装置２１は、施錠受け金具１１に容易に着脱可能であるため、取付及び取り外し作業の簡素化を図ることができる。
【００２４】
なお、上記した実施の形態では、固定部２２と可動部２３が別部品によって構成されているが、これは単なる例示に過ぎず、図４に示すように、固定部２２と可動部２３が一体成形されていてもよい。
【００２５】
また、上記した実施の形態では、扉５側に施錠金具７を設置し、枠体２側に施錠受け金具１１を設置しているが、これとは反対に、施錠金具７を枠体２側に設置し、施錠受け金具１１を扉５側に設置してもよい。
【００２６】
さらに、上記した実施の形態では、不正行為防止装置２１をスロットマシン１に適用した場合について説明したが、本考案は、パチンコ機等、他の遊技機にも適用可能であることは言う迄もない。
【図面の簡単な説明】
【００２７】
【図１】本考案の実施の形態に係る不正行為防止装置を備えたスロットマシンを示す斜視図である。
【図２】スロットマシンの扉が閉鎖されている時の本考案の実施の形態に係る不正行為防止装置を示す側面図である。
【図３】スロットマシンの扉が開放されている時の本考案の実施の形態に係る不正行為防止装置を示す側面図である。
【図４】本考案の実施の形態に係る不正行為防止装置の別の例を示す側面図である。
【符号の説明】
【００２８】
１          スロットマシン
２          枠体
５          扉
７          施錠金具
１１        施錠受け金具
１４        呼出ランプ
２１        不正行為防止装置
２２        固定部
２３        可動部
２７        接点部
２９        接点部
【図１】
0003133401.tif 000003
【図２】
0003133401.tif 000004
【図３】
0003133401.tif 000005
【図４】
0003133401.tif 000006